【手続補正書】
【提出日】平成15年11月11日(2003.11.11)
【手続補正１】
【補正対象書類名】明細書
【補正対象項目名】発明の名称
【補正方法】変更
【補正の内容】
【発明の名称】グループ購入システム、グループ購入管理サーバ、端末、グループ購入方法、特典付与プログラムを記録した記録媒体及び販売システム


【手続補正２】
【補正対象書類名】明細書
【補正対象項目名】特許請求の範囲
【補正方法】変更
【補正の内容】
【特許請求の範囲】
【請求項１】
ネットワークを介して相互に接続された、少なくとも１以上のグループ購入管理サーバ及び少なくとも１以上の端末を備えたグループ購入システムであって、
前記グループ購入管理サーバは、
前記端末からの、少なくとも購入する商品及び購入個数を含む購入条件を示したグループ購入の申し込みを受け付けた際に、該グループ購入に一意に対応する付与ＩＤを前記端末に通知し、該グループ購入に対応する購入状況を記憶手段に記憶させ、前記グループ購入にて指定した商品の購入が前記付与ＩＤを用いて行われた場合に、
前記記憶手段に記憶されている前記購入状況を更新し、該記憶手段に記憶された購入状況に基づき特典を与えることを特徴とするグループ購入システム。
【請求項２】
前記購入条件に、前記商品の購入期限を含むことを特徴とする請求項１に記載のグループ購入システム。
【請求項３】
前記購入条件に、前記グループ購入の決済方法を含み、
前記グループ購入管理サーバは、前記商品を販売する場合及び前記特典を与える場合の少なくともいずれか一方の場合に該決済方法にて指定された方法で金銭の授受を行うことを特徴とする請求項１又は２に記載のグループ購入システム。
【請求項４】
前記購入条件に、前記グループ購入の参加者毎のグループ購入の決済方法を含み、
前記グループ購入管理サーバは、前記商品を販売する場合及び前記特典を与える場合の少なくともいずれか一方の場合に該決済方法にて指定された方法で前記参加者に対して金銭の授受を行うことを特徴とする請求項１から３のいずれか１項に記載のグループ購入システム。
【請求項５】
前記グループ購入の内容は、ＷＷＷサーバのサイトにグループ購入の内容を公開するホームページが設営されることにより公開されることを特徴とする請求項１から４のいずれか１項に記載のグループ購入システム。
【請求項６】
ネットワークを介して少なくとも１以上の端末と相互に接続されたグループ購入管理サーバであって、
前記端末から、少なくとも、購入する商品及び購入個数を含む購入条件が示されたグループ購入の申し込みが前記グループ購入管理サーバに通知され、
前記グループ購入管理サーバは、前記グループ購入の申し込みを受け付けた際に、該グループ購入に一意に対応する付与ＩＤを前記端末に通知し、該グループ購入に対応する購入状況を記憶手段に記憶させ、前記付与ＩＤを用いて前記グループ購入にて指定した商品の購入が行われた場合に、前記記憶手段に記憶されている前記購入状況を更新し、該記憶手段に記憶された購入状況に基づき特典を与えることを特徴とするグループ購入管理サーバ。
【請求項７】
グループ購入の申し込みを受け付けた際に、該グループ購入に一意に対応する付与ＩＤを通知し、該グループ購入に対応する購入状況を記憶手段に記憶させ、前記グループ購入にて指定した商品の購入が前記付与ＩＤを用いて行われた場合に、前記記憶手段に記憶されている前記購入状況を更新し、該記憶手段に記憶された購入状況に基づき特典を与えるグループ購入管理サーバとネットワークを介して相互に接続され、前記グループ購入管理サーバにグループ購入を申し込む際に、
少なくとも、購入する商品及び購入個数を含む購入条件を含むグループ購入の申し込みを前記グループ購入管理サーバに通知するために利用されることを特徴とする端末。
【請求項８】
販売する商品についてのグループ購入の内容を公開する工程と、
前記公開されたグループ購入に対してグループ購入を申し込む工程と、
前記グループ購入に対応する前記商品を購入する工程と、
前記商品の購入に基づき、前記グループ購入の購入状況を管理し該購入状況に応じて前記グループ購入の参加者に特典を付与する工程とを備えることを特徴とするグループ購入方法。
【請求項９】
グループ購入において特典を付与する特典付与プログラムを記録した記録媒体であって、
前記グループ購入を申し込む際に入力した、少なくとも、購入する商品及び購入個数を含む購入条件を示したグループ購入の申し込みを受け付けるステップと、
前記グループ購入の申し込みを受け付けた際に、該グループ購入に一意に対応する付与ＩＤを通知するステップと、
前記グループ購入に対応した購入状況を記憶手段に記憶させるステップと、
前記グループ購入にて指定した商品の購入が前記付与ＩＤを用いて行われた場合に、前記記憶手段に記憶されている前記購入状況を更新するステップと、
該記憶手段に記憶された購入状況に基づき特典を与えるステップとを備える特典付与プログラムを記録した記録媒体。
【請求項１０】
グループ購入の定義を公開する手段と、
前記グループ購入の宣言を受け付ける手段と、
前記グループ購入における購入者毎の注文を受け付ける手段と、
前記グループ購入の定義及び前記注文の状況により特典を計算する手段とを備え、
前記グループ購入の最終購入者からの注文が成立した時点、あるいは購入期限に達した時点で、前記特典を計算する手段により計算された特典を各購入者に与えることを特徴とする販売システム。
【請求項１１】
前記グループ購入の宣言を受け付ける手段は、前記グループ購入の宣言を受け付ける際に、購入期限、購入個数及び購入者全員を特定できる情報を受け付けることを特徴とする請求項１０に記載の販売システム。
【手続補正３】
【補正対象書類名】明細書
【補正対象項目名】０００１
【補正方法】変更
【補正の内容】
【０００１】
【発明の属する技術分野】
本発明は、ボリュームディスカウントによる商品販売、いわゆるグループ購入を実施するためのグループ購入システム、グループ購入管理サーバ、端末、グループ購入方法、特典付与プログラムを記録した記録媒体及び販売システムに関するものである。


【手続補正４】
【補正対象書類名】明細書
【補正対象項目名】０００５
【補正方法】変更
【補正の内容】
【０００５】
本発明は上記の従来技術の課題を解決するためになされたもので、その目的とするところは、グループ購入の購入者及びグループ購入により商品を販売する販売者にとってグループ購入を利用し易くすることが可能なグループ購入システム、グループ購入管理サーバ、端末、グループ購入方法、特典付与プログラムを記録した記録媒体及び販売システムを提供することにある。


【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００３２
【補正方法】変更
【補正の内容】
【００３２】
【発明の実施の形態】
以下に、図１〜図１３を参照して、本発明に係るグループ購入システムの一実施形態に
ついて説明する。ただし、以下の説明は、本発明に係るグループ購入管理サーバ、端末、グループ購入方法、特典付与プログラムを記録した記録媒体及び販売システムの一実施形態の説明を兼ねる。